(57)【要約】【課題】  ジャッジ作業の効率を向上させる。【解決手段】  ジャッジ画面７０に、オペレータによるジャッジ作業の終了を指示するためのジャッジ終了チェックボックス７６と、表示されている６コマの画像のプリントの開始を指示するためのスタートボタン７７とを表示する。ジャッジ画面７０に表示されている６コマの画像のジャッジ作業が終了した後、ジャッジ終了チェックボックス７６にチェックを入れた状態でスタートボタン７７をクリックすると、表示されている６コマの画像のプリントが開始されると共に、ジャッジ画面７０がディスプレイから消去される。【選択図】        図４
2006101050.tif 000002
【特許請求の範囲】
【請求項１】
外部から入力された複数の画像データファイルに係る複数の画像のうち少なくとも１つの画像を含むジャッジ画面を表示するディスプレイと、
前記画像データファイルに係る画像を画像形成媒体に形成する画像形成部と、
前記ディスプレイに表示される前記ジャッジ画面に含まれる画像に係る画像データファイルに関する画像形成要否情報を含む前記画像形成部における画像形成条件、前記画像形成部における画像の形成を開始させるためのトリガ信号、及び前記ディスプレイに未だ表示されていない画像の形成が不要である旨のジャッジ終了信号を入力する入力手段と、
前記ディスプレイに表示されている前記ジャッジ画面において、前記ジャッジ画面に含まれる画像のうち少なくとも１つの画像を複数の前記画像データファイルに係る複数の画像のうち前記ディスプレイに未だ表示されていない画像に切り換える制御手段とを備えており、
前記制御手段が、ジャッジ終了信号が供給されると、前記ディスプレイに表示されている前記ジャッジ画面に含まれる画像が別の画像に切り換えられないようにすると共に、前記トリガ信号が供給されると、前記トリガ信号が供給された時点において前記入力手段によって画像形成要とする前記画像形成条件が入力された画像データファイルに係る画像が画像形成媒体に形成されるように前記画像形成部を制御することを特徴とする画像形成装置。
【請求項２】
ディスプレイと、
前記画像データファイルを記憶する画像記憶手段と、
前記画像記憶手段に記憶された画像データファイルに係る画像を画像形成媒体に形成する画像形成部と、
前記画像記憶手段に記憶された各画像データファイルに関して、画像形成要否情報を含む前記画像形成部における画像形成条件を記憶する画像形成条件記憶手段と、
前記画像記憶手段に記憶された複数の画像データファイルに係る複数の画像のうちの少なくとも１つの画像を含むジャッジ画面を前記ディスプレイに表示させるジャッジ画面表示制御手段と、
前記画像形成条件記憶手段に記憶された画像データファイルに関する前記画像形成条件を、当該画像データファイルに係る画像が前記ディスプレイに表示されているときに入力された前記画像形成条件に書き換える画像形成条件書換手段と、
前記ディスプレイに表示されている前記ジャッジ画面に含まれる画像に関する前記画像形成条件の入力が完了した旨の入力完了信号が供給されると、前記ディスプレイに表示されている前記ジャッジ画面において、前記ジャッジ画面に含まれる画像のうち少なくとも１つの画像が複数の前記画像データファイルに係る複数の画像のうち前記ディスプレイに未だ表示されていない画像に切り換えられるように前記ジャッジ画面表示制御手段を制御する表示切換手段と、
前記ディスプレイに未だ表示されていない画像の形成が不要である旨のジャッジ終了信号が供給されると、前記表示切換手段に優先して、前記ディスプレイに表示されている前記ジャッジ画面に含まれる画像が別の画像に切り換えられないように前記ジャッジ画面表示制御手段を制御する表示切換禁止手段と、
前記画像記憶手段に記憶された画像データファイルに係る画像の形成を前記画像形成部に開始させるためのトリガ信号が供給されると、前記トリガ信号が供給された時点において画像形成要とする前記画像形成条件が入力された画像データファイルに係る画像が前記画像形成条件記憶手段に記憶された前記画像形成条件に従って画像形成媒体に形成されるように前記画像形成部を制御する画像形成制御手段とを備えていることを特徴とする画像形成装置。
【請求項３】
前記表示切換禁止手段は、前記ディスプレイに未だ表示されていない画像の形成が不要である旨のジャッジ終了信号が供給されると、前記表示切換手段に優先して、前記ディスプレイに表示されている前記ジャッジ画面が前記ディスプレイから消去されるように前記ジャッジ画面表示制御手段を制御することを特徴とする請求項２に記載の画像形成装置。
【請求項４】
前記ジャッジ画面表示制御手段は、前記画像記憶手段に記憶された画像データファイルに係る画像に加えて、前記ディスプレイに表示されている画像に関する画像形成条件を入力するために用いられる複数の第１のコントロールと、前記ディスプレイに表示されている画像に関する前記画像形成条件の入力が完了したことを入力するために用いられる第２のコントロールと、前記ディスプレイに未だ表示されていない画像の形成が不要であることを入力するために用いられる第３のコントロールとが含まれるＧＵＩ形式の前記ジャッジ画面を前記ディスプレイに表示させることを特徴とする請求項２又は３に記載の画像形成装置。
【請求項５】
前記入力完了信号が、前記トリガ信号を兼ねていることを特徴とする請求項２〜４のいずれか１項に記載の画像形成装置。
【請求項６】
前記画像記憶手段に記憶された画像データファイルをデータ記録媒体に記録するデータ記録部と、
前記トリガ信号が供給されると、前記トリガ信号が供給された時点において画像形成要とする前記画像形成条件が入力された画像データファイルが前記画像形成条件記憶手段に記憶された前記画像形成条件に従ってデータ記録媒体に記録されるように前記データ記録部を制御するデータ記録制御手段とをさらに備えていることを特徴とする請求項２〜５のいずれか１項に記載の画像形成装置。
【発明の詳細な説明】
【技術分野】
【０００１】
本発明は、画像記録媒体から読み取った画像データファイルに基づいて画像形成媒体に画像を形成する画像形成装置に関する。
【背景技術】
【０００２】
写真処理装置としては、撮影済みのネガフィルムをスキャナで読み取ることによって得られた画像データファイルやコンパクトフラッシュ（登録商標）のようなデジタルカメラ用メモリカードから読み取られた画像データファイルに基づいて、用紙に形成されるであろう画像のサムネイル画像をコマ毎に生成し、ディスプレイに表示することができるものがある（特許文献１参照）。画像データファイルのコマ数が多数の場合には、サムネイル画像は、複数ページに分けて、例えば６コマ毎に表示される。
【０００３】
写真処理装置のオペレータは、ディスプレイに表示されたサムネイル画像を１ページ毎に観察して、適切なプリントに仕上がるように、必要に応じて色・濃度等を補正する。また、このときオペレータは、プリントの要否、プリント数等も設定する。このような作業は、ジャッジ作業と呼ばれている。そして、画像データファイルから生成された全てのサムネイル画像に対して、オペレータによるジャッジ作業が完了した後、プリント処理が開始される。
【０００４】
上述のように、係る写真処理装置では、実際に用紙に画像が形成される前に、オペレータがディスプレイに表示されたサムネイル画像によりプリント条件の適否を予め判定して補正できるので、写真プリントの失敗を未然に防止でき、常に適切な仕上がりの写真プリントを得ることができる。
【特許文献１】特開２００１−２７２７３０号公報
【発明の開示】
【発明が解決しようとする課題】
【０００５】
近年、メモリカードの記録容量が増大し、数百コマ分程度の画像に対応する画像データファイルを記録可能なものがある。このような大容量のメモリカードから読み取られた画像データファイルから生成され、ディスプレイに表示されるサムネイル画像は、数十ページに及ぶことになる。また、このような大容量のメモリカードには、プリント済みの画像に対応する画像データファイルが削除されることなく残されている場合がある。そのような場合には、プリントが必要なサムネイル画像のジャッジが全て終了した後に、プリントが不要なサムネイル画像を順番に表示させて、プリント不要の設定を行う必要が生じる。場合によっては、数十ページに亘ってプリント不要の設定を行う必要が生じ、ジャッジ作業の効率が著しく低下する。
【０００６】
そこで、本発明の目的は、ジャッジ作業の効率を向上させることが可能な画像形成装置を提供することである。
【課題を解決するための手段及び効果】
【０００７】
本発明の画像形成装置は、外部から入力された複数の画像データファイルに係る複数の画像のうち少なくとも１つの画像を含むジャッジ画面を表示するディスプレイと、前記画像データファイルに係る画像を画像形成媒体に形成する画像形成部と、前記ディスプレイに表示される前記ジャッジ画面に含まれる画像に係る画像データファイルに関する画像形成要否情報を含む前記画像形成部における画像形成条件、前記画像形成部における画像の形成を開始させるためのトリガ信号、及び前記ディスプレイに未だ表示されていない画像の形成が不要である旨のジャッジ終了信号を入力する入力手段と、前記ディスプレイに表示されている前記ジャッジ画面において、前記ジャッジ画面に含まれる画像のうち少なくとも１つの画像を複数の前記画像データファイルに係る複数の画像のうち前記ディスプレイに未だ表示されていない画像に切り換える制御手段とを備えている。そして、前記制御手段が、ジャッジ終了信号が供給されると、前記ディスプレイに表示されている前記ジャッジ画面に含まれる画像が別の画像に切り換えられないようにすると共に、前記トリガ信号が供給されると、前記トリガ信号が供給された時点において前記入力手段によって画像形成要とする前記画像形成条件が入力された画像データファイルに係る画像が画像形成媒体に形成されるように前記画像形成部を制御する。
【０００８】
別の観点において、本発明の画像形成装置は、ディスプレイと、前記画像データファイルを記憶する画像記憶手段と、前記画像記憶手段に記憶された画像データファイルに係る画像を画像形成媒体に形成する画像形成部と、前記画像記憶手段に記憶された各画像データファイルに関して、画像形成要否情報を含む前記画像形成部における画像形成条件を記憶する画像形成条件記憶手段と、前記画像記憶手段に記憶された複数の画像データファイルに係る複数の画像のうちの少なくとも１つの画像を含むジャッジ画面を前記ディスプレイに表示させるジャッジ画面表示制御手段と、前記画像形成条件記憶手段に記憶された画像データファイルに関する前記画像形成条件を、当該画像データファイルに係る画像が前記ディスプレイに表示されているときに入力された前記画像形成条件に書き換える画像形成条件書換手段と、前記ディスプレイに表示されている前記ジャッジ画面に含まれる画像に関する前記画像形成条件の入力が完了した旨の入力完了信号が供給されると、前記ディスプレイに表示されている前記ジャッジ画面において、前記ジャッジ画面に含まれる画像のうち少なくとも１つの画像が複数の前記画像データファイルに係る複数の画像のうち前記ディスプレイに未だ表示されていない画像に切り換えられるように前記ジャッジ画面表示制御手段を制御する表示切換手段とを備えている。さらに、本発明の画像形成装置は、前記ディスプレイに未だ表示されていない画像の形成が不要である旨のジャッジ終了信号が供給されると、前記表示切換手段に優先して、前記ディスプレイに表示されている前記ジャッジ画面に含まれる画像が別の画像に切り換えられないように前記ジャッジ画面表示制御手段を制御する表示切換禁止手段と、前記画像記憶手段に記憶された画像データファイルに係る画像の形成を前記画像形成部に開始させるためのトリガ信号が供給されると、前記トリガ信号が供給された時点において画像形成要とする前記画像形成条件が入力された画像データファイルに係る画像が前記画像形成条件記憶手段に記憶された前記画像形成条件に従って画像形成媒体に形成されるように前記画像形成部を制御する画像形成制御手段とを備えている。
【０００９】
これらの構成によると、形成が不要である画像をディスプレイに表示しないようにすることができる。したがって、形成が不要である画像をディスプレイに表示させて画像形成不要の設定を行う必要がなくなる。よって、ジャッジ作業の効率を向上させることができる。
【００１０】
本発明の画像形成装置では、前記表示切換禁止手段は、前記ディスプレイに未だ表示されていない画像の形成が不要である旨のジャッジ終了信号が供給されると、前記表示切換手段に優先して、前記ディスプレイに表示されている前記ジャッジ画面が前記ディスプレイから消去されるように前記ジャッジ画面表示制御手段を制御することが好ましい。この構成によると、ディスプレイに未だ表示されていない画像の形成が不要である旨のジャッジ終了信号が供給されると、ジャッジ画面を消去し、例えば画像形成部において形成済みの画像の枚数などの情報をディスプレイに表示することができる。
【００１１】
本発明の画像形成装置では、前記ジャッジ画面表示制御手段は、前記画像記憶手段に記憶された画像データファイルに係る画像に加えて、前記ディスプレイに表示されている画像に関する画像形成条件を入力するために用いられる複数の第１のコントロールと、前記ディスプレイに表示されている画像に関する前記画像形成条件の入力が完了したことを入力するために用いられる第２のコントロールと、前記ディスプレイに未だ表示されていない画像の形成が不要であることを入力するために用いられる第３のコントロールとが含まれるＧＵＩ（Graphical User Interface）形式の前記ジャッジ画面を前記ディスプレイに表示させることが好ましい。
【００１２】
この構成によると、オペレータは、ＧＵＩ形式のジャッジ画面から、例えばマウス等のポインティングデバイスを用いて画像形成条件の入力、画像形成条件の入力が完了したことの入力、及びディスプレイに未だ表示されていない画像の形成が不要であることの入力を容易に行うことができる。
【００１３】
本発明の画像形成装置では、前記入力完了信号が、前記トリガ信号を兼ねていてもよい。この構成によると、オペレータは、入力完了信号を供給するだけで、ディスプレイに表示されているジャッジ画面を別のジャッジ画面に切り換えると同時に、画像形成要とする画像形成条件が入力された画像データファイルに係る画像を、画像形成条件記憶手段に記憶されている画像形成条件に従って画像形成媒体に形成することができる。
【００１４】
本発明の画像形成装置は、前記画像記憶手段に記憶された画像データファイルをデータ記録媒体に記録するデータ記録部と、前記トリガ信号が供給されると、前記トリガ信号が供給された時点において画像形成要とする前記画像形成条件が入力された画像データファイルが前記画像形成条件記憶手段に記憶された前記画像形成条件に従ってデータ記録媒体に記録されるように前記データ記録部を制御するデータ記録制御手段とをさらに備えていてもよい。この構成によると、画像形成要とする画像形成条件が入力された画像データファイルをデータ記録媒体に記録することができる。
【発明を実施するための最良の形態】
【００１５】
以下、本発明の好適な一実施の形態について、図面を参照しつつ説明する。図１は、本実施の形態に係る写真処理装置の概略構成を示す図である。
【００１６】
図１に示すように、本実施の形態の写真処理装置１は、インターフェイス部１０と、フィルムスキャナ２０と、コントローラ３０と、プリンタプロセッサ５０とを有している。
【００１７】
インターフェイス部１０では、写真処理装置１とそれを操作するオペレータとの間の情報のやり取りが行われる。インターフェイス部１０は、写真処理装置１に関する様々な情報を表示してオペレータに告知するディスプレイ１１と、オペレータが写真処理装置１に対して指示を与えるキーボード１２やマウス１３からなる入力デバイスとを有している。
【００１８】
フィルムスキャナ２０は、ハロゲンランプ２１と、ハロゲンランプ２１から出射した光の色バランスを調整するための調光フィルタ２２と、調光フィルタ２２を通過した光を均等に混色するミラートンネル２３と、写真フィルム２５の各コマ画像とハロゲンランプ２１とを順次対向させるフィルム搬送機構２４と、写真フィルム２５のコマ画像を光電変換するためのＣＣＤラインセンサユニット２６と、写真フィルム２５を透過した光をＣＣＤラインセンサユニット２６上に結像させるためのレンズ２７と、光路を９０度屈曲させるためのミラー２８と、ＣＣＤラインセンサユニット２６の出力信号を処理する図示しない処理回路とを有している。
【００１９】
ＣＣＤラインセンサユニット２６は、約５０００個の受光部を写真フィルム２５の幅方向に配列したＣＣＤラインセンサを３列に並べて備えており、各ＣＣＤラインセンサの受光面にはそれぞれ赤色、緑色、青色のカラーフィルタが形成されて、写真フィルム２５のコマ画像を色分解して検出する。処理回路は、ＣＣＤラインセンサユニット２６の出力アナログ信号を増幅した後Ａ／Ｄ変換を行って出力する。従って、フィルムスキャナ２０では、フィルム搬送機構２４に写真フィルム２５がセットされると、搬送ローラ対２４ａにより搬送される写真フィルム２５上のコマ画像が順次読み取られて、赤色、緑色、青色毎のデジタル画像データファイルがコントローラ３０に対して送信される。
【００２０】
コントローラ３０では、写真処理装置１全体の制御が行われる。また、コントローラ３０には、例えばコンパクトフラッシュ（登録商標）等のデジタルカメラ用メモリカードから画像データファイルを読み出すカードスロット６１、及びＣＤ−Ｒ（Compact Disc-Recordable：１度だけ書き込み可能な追記型ＣＤ）に対してデータの読み書きを行うＣＤ−Ｒドライブ６２が接続されている。
【００２１】
ここで、図２に、コントローラ３０の主要部の構成を示す。図２に示すように、コントローラ３０は、画像記憶部３１、プリント条件記憶部３２、書換部３３、ジャッジ画面表示制御部３４、ジャッジ終了フラグ３５、プリントモニタ画面表示制御部３６、表示切換部３７、表示切換禁止部３８、プリント制御部３９、及びデータ記録制御部４０とを有している。
【００２２】
画像記憶部３１は、フィルムスキャナ２０、カードスロット６１、またはＣＤ−Ｒドライブ６２から供給された複数の画像データファイルを記憶する。
【００２３】
プリント条件記憶部３２は、プリント数記憶部３２ａと、プリントサイズ記憶部３２ｂと、色補正値記憶部３２ｃと、濃度補正値記憶部３２ｄとを有しており、画像記憶部３１に記憶されている各画像データファイルに関して、プリンタプロセッサ５０における各種プリント条件を記憶する。プリント数記憶部３２ａには、デフォルトで各画像データファイルに係る画像が１枚ずつプリントされるように記憶されている。プリントサイズ記憶部３２ｂには、デフォルトで後述するサービスサイズでプリントされるように記憶されている。色補正値記憶部３２ｃ及び濃度補正値記憶部３２ｄには、デフォルトで補正はゼロであると記憶されている。
【００２４】
書換部３３は、プリント条件記憶部３２にあらかじめ記憶されている各画像データファイルに関する各種プリント条件を、後述するＧＵＩ形式のジャッジ画面７０においてオペレータが入力するプリント条件に書き換える。
【００２５】
ジャッジ画面表示制御部３４は、図４に示すＧＵＩ形式のジャッジ画面７０をディスプレイ１１に表示する。図４に示すように、ジャッジ画面７０には、６コマ分のサムネイル画像が表示される。このサムネイル画像は、画像記憶部３１に記憶されている複数の画像データファイルに係る複数の画像のうち、撮影された日時が新しい画像から順番に６コマずつ、複数ページに分けて表示される。さらに、ジャッジ画面７０には、６コマの画像毎に、数値入力ボックス７１、リストボックス７２、色補正ボタン７３ａ〜７３ｃ、及び濃度補正ボタン７４がそれぞれ表示される。以降、数値入力ボックス７１、リストボックス７２、色補正ボタン７３ａ〜７３ｃ及び濃度補正ボタン７４を「プリント条件コントロール」と総称する。
【００２６】
数値入力ボックス７１は、プリント数を入力するためのものである。初期状態では、数値入力ボックス７１には、プリント数記憶部３２ａにデフォルトで記憶されているプリント枚数である「１」が表示されている。マウス１３のカーソルが数値入力ボックス７１を指している状態でマウス１３の左又は右ボタンをクリックすると、数値入力可能状態となるので、オペレータはキーボード１２からプリント数として任意の数値を入力することができる。
【００２７】
リストボックス７２は、プリントサイズを選択するためのものである。本実施の形態では、Ｃ（サービスサイズ：８９ｍｍ×１２７．０ｍｍ）、Ｐ（パノラマサイズ：８９ｍｍ×２５４．０ｍｍ）、Ｈ（ハイビジョンサイズ：８９ｍｍ×１５２．０ｍｍ）の三つのサイズからプリントサイズを選択することができる。初期状態では、リストボックス７２は、標準のサイズである「Ｃ」が選択された状態となっている。そして、マウス１３でリストボックス７２をクリックすると、Ｃ、Ｐ、Ｈのプリントサイズのリストが表示され、オペレータはＣ、Ｐ、Ｈのいずれかを選択可能となる。
【００２８】
色補正ボタン７３ａ〜７３ｃは、それぞれイエロー（Ｙ）、マゼンタ（Ｍ）、シアン（Ｃ）に対応する色を補正するためのものである。濃度補正ボタン７４は、濃度を補正するためのものである。色補正ボタン７３ａ〜７３ｃ及び濃度補正ボタン７４は、いずれも、マウス１３の右ボタンをクリックすることにより補正値が増加し、左ボタンをクリックすることにより補正値が減少する。このとき、ジャッジ画面７０には、色補正ボタン７３ａ〜７３ｃ及び濃度補正ボタン７４によって入力された補正量が反映されたコマ画像が表示されるので、オペレータはジャッジ画面７０に表示される画像を確認しつつ補正値を調整することができる。
【００２９】
上述のように、オペレータは、プリント条件コントロールをキーボード１２やマウス１３等の入力デバイスを用いて操作することにより、表示されている６コマの画像のプリント条件をそれぞれ入力することができる。オペレータのこのような作業を「ジャッジ作業」と称する。
【００３０】
また、ジャッジ画面７０には、ページ数表示部７５が表示される。図４において、ページ数表示部７５には、「７／６０」と表示されている。これは、全部で６０ページあるうちの７ページ目を表示していることを意味している。さらに、ジャッジ画面７０には、オペレータによるジャッジ作業の終了を指示するためのジャッジ終了チェックボックス７６と、表示されている６コマの画像のプリントの開始を指示するためのスタートボタン７７とが表示される。
【００３１】
したがって、表示されている６コマの画像のジャッジ作業が終了した後、ジャッジ終了チェックボックス７６にチェックを入れない状態でスタートボタン７７をクリックすると、表示されている６コマの画像のプリントが開始されると共に、次の６コマの画像が表示される。一方、表示されている６コマの画像のジャッジ作業が終了した後、ジャッジ終了チェックボックス７６にチェックを入れた状態でスタートボタン７７をクリックすると、表示されている６コマの画像のプリントが開始されると共に、ジャッジ画面７０が消去され、ディスプレイ１１には後述するプリントモニタ画面８０が表示される。
【００３２】
ジャッジ終了フラグ３５は、上述のジャッジ画面７０に表示されるジャッジ終了チェックボックス７６がクリックされたかどうかを記憶する。つまり、ジャッジ終了チェックボックス７６にチェックが入ってない状態では、ジャッジ終了フラグ３５はＯＦＦであり、ジャッジ終了チェックボックス７６がクリックされ、ジャッジ終了チェックボックス７６にチェックが入った状態では、ジャッジ終了フラグ３５はＯＮとなる。
【００３３】
プリントモニタ画面表示制御部３６は、図５に示すプリントモニタ画面８０をディスプレイ１１に表示する。プリントモニタ画面８０には、図５に示すように、プリンタプロセッサ５０における画像のプリントの進捗状況をオペレータに知らせるためのメッセージ８１が表示される。
【００３４】
表示切換部３７は、ジャッジ終了フラグ３５がＯＦＦの場合に、ジャッジ画面７０において、オペレータによってスタートボタン７７がクリックされた際に、表示されている６コマの画像が次の６コマの画像に切り換えるようにジャッジ画面表示制御部３４を制御する。表示切換禁止部３８は、ジャッジ終了フラグ３５がＯＮの場合に、ジャッジ画面７０において、オペレータによってスタートボタン７７がクリックされた際に、表示切換部３７に優先して、ジャッジ画面７０がディスプレイ１１から消去されるようにジャッジ画面表示制御部３４を制御する。
【００３５】
プリント制御部３９は、オペレータによって、表示されている６コマの画像のジャッジ作業が終了した後にスタートボタン７７がクリックされると、表示されている６コマの画像がプリント条件記憶部３２に記憶されているプリント条件に従って、後述する印画紙５１１に対してプリントされるようにプリンタプロセッサ５０を制御する。データ記録制御部４０は、オペレータによって、表示されている６コマの画像のジャッジ作業が終了した後にスタートボタン７７がクリックされると、表示されている６コマの画像に係る画像データファイルがプリント条件記憶部３２に記憶されているプリント条件に従ってＣＤ−Ｒに記録されるようにＣＤ−Ｒドライブ６２を制御する。
【００３６】
プリンタプロセッサ５０は、コントローラ３０から送信された画像処理済みの画像データファイルに基づいて、印画紙５１１に対して露光を行うプリンタ５１と、露光済みの印画紙５１１に対して現像、漂白、安定化などの処理が施されるプロセッサ５２と、プロセッサ５２から排出された印画紙５１１を乾燥させる仕上げ処理部５３とを有している。
【００３７】
プリンタ５１は、印画紙５１１を収納するペーパーマガジン５１２と、印画紙５１１をペーパーマガジン５１２から引き出しつつ搬送する複数の搬送ローラ対５１３と、印画紙５１１をプリントサイズにカットするカッター５１４と、搬送経路に沿って矢印Ａ方向に搬送される印画紙５１１に対してコントローラ３０で画像処理が施された画像データファイルに対応する潜像を形成する露光ヘッド５１５とを備えている。なお、露光ヘッド５１５は、例えばレーザ露光方式、ＰＬＺＴ方式、ＣＲＴ方式など適宜のものを採用することができる。そして、プリンタ５１において露光された印画紙５１１は、プロセッサ５２を経て仕上げ処理部５３へと搬送され、仕上がりの写真プリントとして排出される。
【００３８】
次に、図３のプリントの手順を示すフローチャートを参照しつつ、本実施の形態の写真処理装置１においてプリントを行う際の手順について説明する。詳細には、カードスロット６１に装着されたメモリカードから供給された画像データファイルに基づく画像に対してオペレータによるジャッジ作業が行われた後、プリンタプロセッサ５０においてプリントが施される共に、ＣＤ−Ｒドライブ６２において画像データファイルのＣＤ−Ｒへの書き込みが施される場合について説明する。
【００３９】
先ず、カードスロット６１に装着されたメモリカードに記憶されている全画像データファイルを、画像記憶部３１にコピーする（ステップＳ１０１）。なお、本実施の形態では、メモリカードには３６０コマ分の画像に係る画像データファイルが記憶されていることとする。したがって、このとき、画像記憶部３１には、３６０コマ分の画像に係る画像データファイルが記憶される。次に、画像記憶部３１に記憶されている複数の画像データファイルのうち、撮影日時が最も新しい６コマ分の画像に係る画像データファイルが読み込まれ、ジャッジ画面表示制御部３４が読み込まれた画像データファイルに基づく６コマ分の画像を含むジャッジ画面７０をディスプレイ１１に表示する（ステップＳ１０２）。このとき、ジャッジ画面７０のページ数表示部７５には、「１／６０」と表示される。
【００４０】
その後、ステップＳ１０２で表示されたジャッジ画面７０のプリント条件コントロールが、オペレータによって操作されたかどうかが判断される（ステップＳ１０３）。プリント条件コントロールが、オペレータによって操作された場合には（ステップＳ１０３：ＹＥＳ）、書換部３３によって、プリント条件記憶部３２に記憶されているプリント条件が、オペレータによってプリント条件コントロールから入力されたプリント条件に書き換えられる（ステップＳ１０４）。そして、ステップＳ１０３に戻って、プリント条件コントロールが操作されたかどうかが再び判断される。
【００４１】
一方、プリント条件コントロールが、オペレータによって操作されなかった場合には（ステップＳ１０３：ＮＯ）、ジャッジ画面７０のジャッジ終了チェックボックス７６が、オペレータによってクリックされたかどうかが判断される（ステップＳ１０５）。ジャッジ終了チェックボックス７６がクリックされた場合には（ステップＳ１０５：ＹＥＳ）、ジャッジ終了フラグ３５がＯＮとなる（ステップＳ１０６）。その後、ステップＳ１０５に戻り、ジャッジ終了チェックボックス７６がクリックされたかどうかが再び判断される。
【００４２】
また、ジャッジ終了チェックボックス７６がクリックされなかった場合には（ステップＳ１０５：ＮＯ）、ジャッジ画面７０のスタートボタン７７がオペレータによってクリックされたかどうかが判断される（ステップＳ１０７）。スタートボタン７７がクリックされなかった場合には（ステップＳ１０７：ＮＯ）、ステップＳ１０３に戻って再びジャッジ終了チェックボックス７６がクリックされたかどうかの判断が繰り返される。スタートボタン７７がクリックされた場合には（ステップＳ１０７：ＹＥＳ）、プリンタプロセッサ５０において、ジャッジ画面７０に表示されている６コマ分の画像の印画紙５１１へのプリントが開始されると共に、ＣＤ−Ｒドライブ６２において、ジャッジ画面７０に表示されている６コマ分の画像に係る画像データファイルのＣＤ−Ｒへの書き込みが開始される（ステップＳ１０８）。このとき、画像のプリントと画像データファイルの書き込みとは、プリント条件記憶部３２に記憶されているプリント条件に基づいて行われる。
【００４３】
その後、ジャッジ終了フラグ３５がＯＮであるかどうかが判断される（ステップＳ１０９）。ジャッジ終了フラグ３５がＯＦＦである場合には（ステップＳ１０９：ＮＯ）、画像記憶部３１に記憶されている画像データファイルに係る全ての画像（本実施の形態においては３６０コマ分の画像）に対するジャッジ作業が終了したかどうかが判断される（ステップＳ１１０）。
【００４４】
ジャッジ作業が終了していない画像が残っている場合には（ステップＳ１１０：ＮＯ）、ステップＳ１０２に戻り、画像記憶部３１に記憶されている複数の画像データフィルのうち、未だディスプレイ１１に表示されていない画像の中で撮像日時が最も新しい６コマ分の画像に係る画像データファイルが読み込まれ、ジャッジ画面表示制御部３４が読み込まれた画像データファイルに基づく６コマ分の画像を含むジャッジ画面７０をディスプレイ１１に表示する。このとき、ジャッジ画面７０のページ数表示部７５には、「２／６０」と表示される。また、全ての画像のジャッジ作業が終了した場合には（ステップＳ１１０：ＹＥＳ）、ジャッジ画面７０がディスプレイ１１から消去されると共に、プリントモニタ画面８０がディスプレイ１１に表示される（ステップＳ１１１）。
【００４５】
一方、ジャッジ終了フラグ３５がＯＮである場合には（ステップＳ１０９：ＹＥＳ）、ステップＳ１１０を省略してステップＳ１１１に進む。その後、プリンタプロセッサ５０における画像のプリント、及びＣＤ−Ｒドライブ６２における画像データファイルの書き込みが終了したかどうかが判断される（ステップＳ１１２）。画像のプリント及び画像データファイルの書き込みが終了していない場合には（ステップＳ１１２：ＮＯ）、画像のプリント及び画像データファイルの書き込みが終了するまで、ステップＳ１１２の判断が繰り返し行われる。一方、画像のプリント及び画像データファイルの書き込みが終了した場合には（ステップＳ１１２：ＹＥＳ）、写真処理装置１における処理が終了する。
【００４６】
以上のように、本実施の形態の写真処理装置１では、表示切換禁止部３８は、ジャッジ終了フラグ３５がＯＮの場合に、スタートボタン７７がクリックされた際に、表示切換部３７に優先して、ジャッジ画面７０がディスプレイ１１から消去されるようにジャッジ画面表示制御部３４を制御する。したがった、画像記憶部３１に記憶された画像データファイルに係る画像のうち、プリントを要する画像に対するジャッジ作業が終了した時点で、ジャッジ終了チェックボックス７６をクリックし、ジャッジ終了フラグ３５をＯＮにすることで、スタートボタン７７をクリックした際に、プリント不要な画像がディスプレイ１１に表示されることがなくなる。よって、プリント不要な画像に対してジャッジ作業を行う必要がなくなる。その結果、ジャッジ作業の効率を向上させることができる。また、ジャッジ画面７０が消去されたディスプレイ１１に、プリントモニタ画面８０を表示し、プリントの進捗状況をオペレータに知らせることができる。
【００４７】
また、本実施の形態の写真処理装置１は、ＧＵＩ形式のジャッジ画面７０に、プリント数を入力するための数値入力ボックス７１、プリントサイズを選択するためのリストボックス７２、色の補正を行うための色補正ボタン７３ａ〜７３ｃ、濃度の補正を行うための濃度補正ボタン７４、ジャッジ作業の終了を指示するためのジャッジ終了チェックボックス７６、及び表示されている６コマの画像のプリントの開始を指示するためのスタートボタン７７が表示される。したがって、オペレータは、ジャッジ画面７０から、プリント条件の入力、写真処理装置１への指示の入力をマウスボタンのクリックによって容易に行うことができる。
【００４８】
さらに、本実施の形態の写真処理装置１では、ジャッジ画面７０に表示されている６コマ分の画像のジャッジが終了した旨を伝える信号が、ジャッジ画面７０に表示されている６コマ分の画像のプリント及びＣＤ−Ｒへの画像データファイルの書き込み開始を指示する信号を兼ねている。したがって、オペレータがスタートボタン７７をクリックするだけで、ジャッジ画面７０に表示されている６コマ分の画像のプリント及びＣＤ−Ｒへの画像データファイルの書き込みが開始されると同時に、ジャッジ終了フラグ３５がＯＦＦ、且つジャッジ作業が終了していない画像が残っている場合には、ジャッジ画面７０が次の６コマの画像を含む画面に切り換えられる。
【００４９】
加えて、本実施の形態の写真処理装置１は、ＣＤ−Ｒに対してデータの読み書きを行うＣＤ−Ｒドライブ６２と、オペレータによって、ジャッジ画面７０に表示されている６コマの画像のジャッジ作業が終了した後にスタートボタン７７がクリックされると、表示されている６コマの画像に係る画像データファイルがプリント条件記憶部３２に記憶されているプリント条件に従ってＣＤ−Ｒに記録されるようにＣＤ−Ｒドライブ６２を制御するデータ記録制御部４０とを有している。したがって、ジャッジ画面７０においてジャッジ作業が終了した画像に係る画像データファイルをデータ記録媒体に記録することができる。
【００５０】
以上、本発明の好適な一実施の形態について説明したが、本発明は上述の実施の形態に限られるものではなく、特許請求の範囲に記載した限りにおいて、様々な設計変更を行うことが可能なものである。
【００５１】
例えば、上述の実施の形態では、カードスロット６１及びＣＤ−Ｒドライブ６２が設けられており、カードスロット６１に装着されたメモリカードから供給された画像データファイルに基づく画像に対してオペレータによるジャッジ作業が行われた後、プリンタプロセッサ５０においてプリントが施される共に、ＣＤ−Ｒドライブ６２において画像データファイルのＣＤ−Ｒへの書き込みが施される場合について説明したがこれには限られない。例えば、画像データファイルは、フィルムスキャナ２０やＣＤ−Ｒドライブ６２にセットされたＣＤ−Ｒから供給されてもよい。さらに、例えばＭＯドライブ等のＣＤ−Ｒ以外のデータ記録媒体にデータの読み書きを行うことができるドライブが設けられており、ＣＤ−Ｒ以外のデータ記録媒体から画像データファイルが供給されてもよい。また、ＣＤ−Ｒ以外のデータ記録媒体に画像データファイルを書き込んでもよい。なお、画像データファイルのデータ記録媒体への書き込みは行われなくてもよい。
【００５２】
また、上述の実施の形態では、ジャッジ画面７０のスタートボタン７７がクリックされた際に、ジャッジ終了フラグ３５がＯＮである場合、またはジャッジ終了フラグ３５がＯＦＦ、且つ全ての画像のジャッジ作業が終了している場合には、ジャッジ画面７０をディスプレイ１１から消去されると共に、プリントモニタ画面８０がディスプレイ１１に表示される場合について説明したがこれには限られない。プリントモニタ画面８０は表示されなくてもよいし、ジャッジ画面７０は消去されなくてもよい。
【００５３】
また、上述の実施の形態では、ジャッジ画面７０がＧＵＩ形式となっており、プリント条件の入力、及び写真処理装置１への指示の入力を容易に行うことができる場合について説明したが、これには限られない。例えば、ジャッジ画面７０がＣＵＩ形式となっており、オペレータがキーボード１２からコマンドを入力することによって、プリント条件の入力、及び写真処理装置１への指示の入力を行うようにしてもよい。
【００５４】
加えて、ＧＵＩ形式のジャッジ画面７０上のコントロールは、上述の実施の形態で例示したボタン、入力ボックス、リストボックス、及びチェックボックス以外に、ラジオボタン、コンボボックス等公知のものを適宜用いることができる。
【００５５】
さらに、上述の実施の形態では、ジャッジ画面７０に表示されている６コマ分の画像のジャッジが終了した旨を伝える信号が、ジャッジ画面７０に表示されている６コマ分の画像のプリント及びＣＤ−Ｒへの画像データファイルの書き込み開始を指示する信号を兼ねている場合について説明したが、これには限られない。ジャッジの終了を伝える信号とプリント及びＣＤ―Ｒへの書き込み開始を指示する信号とは別であってもよい。例えば、ジャッジ終了後のマウスクリックに起因して、プリント予定の全ての画像に関してプリント及びＣＤ−Ｒへの画像データファイルの書き込みを同時に指示する信号が発生するようにしてもよい。
【００５６】
また、上述の実施の形態では、コントローラ３０が、画像記憶部３１、プリント条件記憶部３２、書換部３３、ジャッジ画面表示制御部３４、ジャッジ終了フラグ３５、プリントモニタ画面表示制御部３６、表示切換部３７、表示切換禁止部３８、プリント制御部３９、及びデータ記録制御部４０とを有している場合について説明したがこれには限られない。コントローラ３０は、ジャッジ終了チェックボックス７６にチェックを入れた状態か、チェックを入れていない状態かによって、次の６コマの画像のディスプレイ１１への表示／非表示を制御すると共に、ディスプレイ１１に表示された画像のみがプリントされるようにプリンタプロセッサ５０を制御する機能を有していればよい。
【００５７】
加えて、上述の実施の形態では、写真処理装置１について説明したがこれには限られない。本発明は、画像形成装置一般に適用可能である。
【図面の簡単な説明】
【００５８】
【図１】本発明の実施の形態に係る写真処理装置の概略構成を示す図である。
【図２】図１に示すコントローラの主要図である。
【図３】図１の写真処理装置におけるプリントの手順を示すフローチャートである。
【図４】図２のディスプレイに表示されるジャッジ画面を示す図である。
【図５】図２のディスプレイに表示されるプリントモニタ画面を示す図である。
【符号の説明】
【００５９】
１  写真処理装置
１０  インターフェイス部
１１  ディスプレイ
１２  キーボード
１３  マウス
２０  フィルムスキャナ
３０  コントローラ（制御手段）
３１  画像記憶部（画像記憶手段）
３２  プリント条件記憶部（画像形成条件記憶手段）
３３  書換部（画像形成条件書換手段）
３４  ジャッジ画面表示制御部（ジャッジ画面表示制御手段）
３５  ジャッジ終了フラグ
３６  プリントモニタ画面表示制御部
３７  表示切換部（表示切換手段）
３８  表示切換禁止部（表示切換禁止手段）
３９  プリント制御部（画像形成制御手段）
４０  データ記録制御部（データ記録制御手段）
５０  プリンタプロセッサ（画像形成部）
６１  カードスロット
６２  ＣＤ−Ｒドライブ（データ記録部）
【図１】
2006101050.tif 000003
【図２】
2006101050.tif 000004
【図３】
2006101050.tif 000005
【図４】
2006101050.tif 000006
【図５】
2006101050.tif 000007